(57)【特許請求の範囲】
【請求項１】
プラントの現場における保守点検作業を支援するための作業用画面をＷｅｂサーバが生成し、モバイル端末のＷｅｂブラウザ上に表示する作業用画面表示システムであって、
上記Ｗｅｂサーバは、
作業者の識別を行うための作業者識別手段と、
作業者が作業中に行った画面操作の情報を当該画面に紐付けて、作業者ごとの作業ログとして蓄積した作業ログデータベースと、
上記作業ログデータベースに作業者ごとの上記作業ログを記録する作業ログ記録手段と、
上記モバイル端末から上記作業者の作業に対する作業用画面の表示要求を受けた場合に、上記作業ログデータベースに記録された作業者ごとの作業ログに基づき、上記作業者の作業中に表示する画面ごとの重要度を算出し、この算出された重要度に応じた各画面の表示サイズの比率を決定し、この決定した表示サイズを有する各画面によって構成された作業用画面の情報を生成する表示情報生成手段と、
上記作業者ごとの画面の重要度の初期値を設定する重要度設定手段と、
この重要度設定手段により設定された上記作業者ごとの画面の重要度の初期値を格納する重要度情報データベースとを有し、
上記表示情報生成手段は、上記重要度情報データベースに格納された上記重要度の初期値を参照して画面の重要度を算出するとともに、
上記表示情報生成手段によって生成された作業用画面の情報が、モバイル端末へ送信されることにより、上記Ｗｅｂブラウザ上に作業者ごとの上記作業用画面が表示されることを特徴とする作業用画面表示システム。
【請求項２】
上記Ｗｅｂサーバは、
上記作業者ごとの画面の配置方法を設定する画面配置設定手段と、
この画面配置設定手段により設定された上記作業者ごとの画面の配置方法を格納する画面配置情報データベースとを有し、
上記表示情報生成手段は、上記作業者ごとに設定された画面の配置方法により配置された作業用画面の情報を生成することを特徴とする請求項１記載の作業用画面表示システム。
【請求項３】
上記Ｗｅｂサーバは、
外部から上記作業ログデータベースおよび上記画面配置情報データベースおよび上記重要度情報データベースのいずれかに対する入出力を行うための入出力手段を有することを特徴とする請求項２記載の作業用画面表示システム。
【発明の詳細な説明】
【技術分野】
【０００１】
この発明は、プラントの現場における保守点検作業支援のための作業用画面をモバイル端末に表示する作業用画面表示システムに関するものである。
【背景技術】
【０００２】
従来のモバイル端末を用いた点検システムにおいては、手元のモバイル端末に点検項目や手順をあらかじめ決められた構成で表示していた。（例えば、特許文献１参照）
【先行技術文献】
【特許文献】
【０００３】
【特許文献１】特開２０１４−７８１２２号公報（第５〜１１頁、第１図）
【発明の概要】
【発明が解決しようとする課題】
【０００４】
従来のモバイル端末を利用した点検システムでは、作業者が、点検情報表示のために該当する画面を呼び出したり、点検対象機器につけられたＩＣタグを読み取ったりする等の操作を行うことで、所望の画面を表示させていた。
しかし、モバイル端末に表示される画面の構成はあらかじめ決められており、作業者が目的の情報を得るために、より詳細な情報を表示する他の画面への遷移や、表示、拡大させるための操作が必要であった。
そのため、作業に必要な情報を得るための画面操作が必要となり、これによって、操作ミスなどのヒューマンエラーを引き起こす恐れがあった。
【０００５】
この発明は、上述のような課題を解決するためになされたものであり、作業者が煩雑な操作を行うことなく、プラント監視・保守点検支援のための作業用画面をモバイル端末上に表示する作業用画面表示システムを得ることを目的とする。
【課題を解決するための手段】
【０００６】
この発明に係わる作業用画面表示システムにおいては、プラントの現場における保守点検作業を支援するための作業用画面をＷｅｂサーバが生成し、モバイル端末のＷｅｂブラウザ上に表示する作業用画面表示システムであって、Ｗｅｂサーバは、作業者の識別を行うための作業者識別手段と、作業者が作業中に行った画面操作の情報を当該画面に紐付けて、作業者ごとの作業ログとして蓄積した作業ログデータベースと、作業ログデータベースに作業者ごとの作業ログを記録する作業ログ記録手段と、モバイル端末から作業者の作業に対する作業用画面の表示要求を受けた場合に、作業ログデータベースに記録された作業者ごとの作業ログに基づき、作業者の作業中に表示する画面ごとの重要度を算出し、この算出された重要度に応じた各画面の表示サイズの比率を決定し、この決定した表示サイズを有する各画面によって構成された作業用画面の情報を生成する表示情報生成手段と、作業者ごとの画面の重要度の初期値を設定する重要度設定手段と、この重要度設定手段により設定された作業者ごとの画面の重要度の初期値を格納する重要度情報データベースとを有し、表示情報生成手段は、重要度情報データベースに格納された重要度の初期値を参照して画面の重要度を算出するとともに、表示情報生成手段によって生成された作業用画面の情報が、モバイル端末へ送信されることにより、Ｗｅｂブラウザ上に作業者ごとの作業用画面が表示されるものである。
【発明の効果】
【０００７】
この発明によれば、プラントの現場における保守点検作業を支援するための作業用画面をＷｅｂサーバが生成し、モバイル端末のＷｅｂブラウザ上に表示する作業用画面表示システムであって、Ｗｅｂサーバは、作業者の識別を行うための作業者識別手段と、作業者が作業中に行った画面操作の情報を当該画面に紐付けて、作業者ごとの作業ログとして蓄積した作業ログデータベースと、作業ログデータベースに作業者ごとの作業ログを記録する作業ログ記録手段と、モバイル端末から作業者の作業に対する作業用画面の表示要求を受けた場合に、作業ログデータベースに記録された作業者ごとの作業ログに基づき、作業者の作業中に表示する画面ごとの重要度を算出し、この算出された重要度に応じた各画面の表示サイズの比率を決定し、この決定した表示サイズを有する各画面によって構成された作業用画面の情報を生成する表示情報生成手段と、作業者ごとの画面の重要度の初期値を設定する重要度設定手段と、この重要度設定手段により設定された作業者ごとの画面の重要度の初期値を格納する重要度情報データベースとを有し、表示情報生成手段は、重要度情報データベースに格納された重要度の初期値を参照して画面の重要度を算出するとともに、表示情報生成手段によって生成された作業用画面の情報が、モバイル端末へ送信されることにより、Ｗｅｂブラウザ上に作業者ごとの作業用画面が表示されるので、作業者が作業に必要な作業用画面を表示、拡大するための操作が不要となり、作業の効率化が可能となる。
【図面の簡単な説明】
【０００８】
【図１】この発明の実施の形態１による作業用画面表示システムを示す全体構成図である。
【図２】この発明の実施の形態１による作業用画面表示システムにおけるモバイル端末のＷｅｂブラウザ上の画面を示す図である。
【図３】この発明の実施の形態１による作業用画面表示システムの動作を示すフローチャートである。
【図４】この発明の実施の形態２による作業用画面表示システムを示す全体構成図である。
【図５】この発明の実施の形態２による作業用画面表示システムの画面の重要度算出までの動作を示すフローチャートである。
【図６】この発明の実施の形態２による作業用画面表示システムの作業ログ記録部分の動作を示すフローチャートである。
【図７】この発明の実施の形態３による作業用画面表示システムを示す全体構成図である。
【図８】この発明の実施の形態３におけるモバイル端末のＷｅｂブラウザ上での画面の配置方法を示す図である。
【図９】この発明の実施の形態３による作業用画面表示システムの画面配置設定部分の動作を示すフローチャートである。
【図１０】この発明の実施の形態３による作業用画面表示システムの画面配置決定部分の動作を示すフローチャートである。
【図１１】この発明の実施の形態４による作業用画面表示システムを示す全体構成図である。
【図１２】この発明の実施の形態４による作業用画面表示システムの重要度設定部分の動作を示すフローチャートである。
【図１３】この発明の実施の形態４による作業用画面表示システムの画面の重要度計算部分の動作を示すフローチャートである。
【図１４】この発明の実施の形態５による作業用画面表示システムを示す全体構成図である。
【図１５】この発明の実施の形態５による作業用画面表示システムの動作を示すフローチャートである。
【発明を実施するための形態】
【０００９】
実施の形態１．
以下、この発明の実施の形態１を図に基づいて説明する。
図１は、この発明の実施の形態１による作業用画面表示システムを示す全体構成図である。
図１において、プラント監視・保守点検支援のための作業用画面を表示するモバイル端末１は、タッチ入力が可能に構成されている。Ｗｅｂブラウザ１１は、モバイル端末１上に、監視画面や保守点検用の作業用画面を表示する。表示画面１１１は、Ｗｅｂブラウザ１１上に表示される画面であり、画面更新手段１１２は、表示画面１１１を更新するためのものである。
モバイル端末１へ情報を配信するＷｅｂサーバ２は、次のように構成されている。
情報配信手段２１は、画面更新手段１１２と情報の通信を行う。表示情報生成手段２２は、Ｗｅｂブラウザ１１へ表示するための作業用画面の情報を生成する。
作業ログ記録手段２３は、Ｗｅｂブラウザ１１上の表示画面１１１に対して行われた画面操作を記録する。作業ログＤＢ（データベース）２４は、表示画面１１１に対して行われた画面操作の情報を当該画面に紐付けし、作業ログとして蓄積する。
画面ＤＢ２５は、表示画面の情報を格納する。保守点検情報２６は、保守点検の状況を表す情報である。プラント情報２７は、プラントの状態を表す情報である。
【００１０】
図２は、この発明の実施の形態１による作業用画面表示システムにおけるモバイル端末のＷｅｂブラウザ上の画面を示す図である。
図２において、実施の形態１におけるモバイル端末１のＷｅｂブラウザ１１上の画面を示している。画面Ａの領域１１３は、画面の重要度が最も高い。画面Ｂの領域１１４は、重要度が二番目に高い。画面Ｃの領域１１５は、重要度が三番目に高い。
【００１１】
次に、動作について説明する。
実施の形態１では、モバイル端末１のＷｅｂブラウザ１１に、作業ログＤＢ２４に格納された作業ログから算出した画面の重要度を基に、画面の表示サイズの比率を変え、重要度の高い画面は大きく表示されるように配置した作業用画面を表示させることができる。
【００１２】
次に、実施の形態１の動作を、図３のフローチャートを用いて説明する。
モバイル端末１のＷｅｂブラウザ１１の画面には、画面更新手段１１２によってＷｅｂサーバ２の情報配信手段２１から取得したプラント監視画面や保守点検作業画面等が表示される。作業者が、保守点検作業の開始にあたり、実施する作業用画面表示の操作（例えば、作業項目一覧の画面から「○○点検作業」のメニューボタンをタップ）を行うと（ステップ３ａ）、画面更新手段１１２は、作業用画面表示の要求を情報配信手段２１へ送信する（ステップ３ｂ）。情報配信手段２１は、画面更新手段１１２から作業用画面表示の要求を受けると、表示情報生成手段２２に作業用画面の表示情報生成の要求を出す（ステップ３ｃ）。
【００１３】
表示情報生成手段２２は、作業用画面の表示情報生成の要求を受けると、作業ログＤＢ２４から要求された作業の作業ログを読み出す（ステップ３ｄ）。表示情報生成手段２２は、作業ログの有無を判定し（ステップ３ｅ）、対象の作業の作業ログが存在していなければ、あらかじめ設定された初回表示用の画面を画面ＤＢ２５、保守点検情報２６、プラント情報２７を参照して生成する（ステップ３ｆ）。
作業ログが存在している場合は、作業ログに保存された画面の表示回数や拡大・縮小操作の回数、表示倍率、サイズ等の情報から、画面ごとの重要度を算出する（ステップ３ｇ）。画面の重要度は、表示回数や表示倍率、サイズが大きいものほど値が大きくなる。
【００１４】
表示情報生成手段２２は、算出した重要度があらかじめ設定されたしきい値以上の画面を表示の対象とし、画面ＤＢ２５から対象の画面情報を読み出す（ステップ３ｈ）。そして、画面の重要度に応じて表示するサイズ比率を設定し、画面配置を決定する（ステップ３ｉ）。例えば、表示する対象の画面数が３で、画面横幅の比率を変更する場合には、図２のように、重要度が高い画面から順に表示する画面の横幅が３：２：１になるように領域１１３、１１４、１１５に配置する。
この画面に、保守点検情報２６、プラント情報２７を付加して、作業用画面の表示情報を生成する（ステップ３ｊ）。
【００１５】
表示情報生成手段２２が、生成した作業用画面の情報を情報配信手段２１へ送ると（ステップ３ｋ）、情報配信手段２１が、取得した作業用画面の情報を画面更新手段１１２へ送信する（ステップ３ｌ）。画面更新手段１１２は、取得した情報を基に表示画面１１１の更新を行い（ステップ３ｍ）、Ｗｅｂブラウザ１１の画面には作業者が選択した作業用画面が表示される。
【００１６】
画面表示完了後、画面更新手段１１２は、拡大・縮小等を行うための画面操作の有無を判定する（ステップ３ｎ）。画面操作が行われていない場合は、情報配信手段２１を経由して、表示情報生成手段２２から更新すべき保守点検情報２６やプラント情報２７を取得し（ステップ３ｏ）、一定周期で表示画面１１１の更新を行う（ステップ３ｍ）。
【００１７】
一方、作業者が画面の表示を拡大・縮小するためのピンチアウト（２本の指で画面を押さえ、指を広げて遠ざける）・ピンチイン（２本の指で画面を押さえ、摘むように指を近づける）操作を行うと、画面更新手段１１２が、画面に対する操作を検知し、その操作情報を作業ログ記録手段２３へ送信する（ステップ３ｐ）。作業ログ記録手段２３は、その操作情報を作業ログＤＢ２４の該当する作業のログに画面と紐付けて、画面の拡大・縮小操作の回数、表示倍率、サイズ等の情報として記録する（ステップ３ｑ）。
同様に、作業者によって他の画面へ遷移するためのタップ操作等が行われた場合も、作業ログ記録手段２３が、作業ログＤＢ２４へ新たに表示された画面とその操作情報を紐付けて記録する（ステップ３ｑ）。
【００１８】
画面更新手段１１２は、作業ログ記録後、情報配信手段２１を経由して表示情報生成手段２２から更新すべき情報を取得し（ステップ３ｏ）、表示画面１１１の更新を行う（ステップ３ｍ）。
なお、作業ログの記録は、作業者が作業開始時に選択した作業を実施している間中、点検終了の操作（例えば、「点検完了」ボタンのタップ操作や他の点検用画面の操作）があるまで行う。
【００１９】
以上のように、実施の形態１によれば、作業者の画面操作情報を作業ログとして記録し、その情報をもとに表示頻度の高い画面を一画面に配置した作業用の表示画面を生成し、表示させることで、作業者が所望の画面を得るために表示、拡大等をするための画面操作が不要となり、作業の効率化が可能となる。
【００２０】
さらに、実施の形態１によれば、作業ログに基づいた画面の重要度に応じて画面の表示サイズを変更するため、モバイル端末の限られた画面でも重要度の高い情報を大きな表示で得ることが可能である。
この結果として、作業者の誤認や確認漏れを防ぎ、操作ミス等のヒューマンエラーを低減することが可能となる。
【００２１】
実施の形態２．
以下、実施の形態２について、図４に基づいて説明する。
図４は、この発明の実施の形態２による作業用画面表示システムを示す全体構成図である。
図４において、１、２、１１、２１〜２７、１１１、１１２は図１におけるものと同一のものである。図４では、Ｗｅｂサーバ２に作業者を識別するための作業者識別手段２８を設けている。
【００２２】
実施の形態２では、情報配信手段２１および作業ログ記録手段２３が作業者の識別を行うように作業者識別手段２８を構成することで、作業者ごとに異なる作業用画面を表示することを可能とする。
【００２３】
次に、動作について説明する。
まず、図５を用いて、各画面の重要度算出までの処理について説明する。
作業者が、保守点検作業の開始にあたり、モバイル端末１のＷｅｂブラウザ１１の画面上で、実施する作業用画面表示の操作を行うと（ステップ５ａ）、画面更新手段１１２は、作業用画面表示の要求を情報配信手段２１へ送信する（ステップ５ｂ）。情報配信手段２１は、画面更新手段１１２から作業用画面表示の要求を受けると、作業者識別手段２８から要求元の作業者を識別するための作業者ＩＤを取得する（ステップ５ｃ）。そして、表示情報生成手段２２に作業者ＩＤによって識別される作業者用の作業用画面の表示情報生成の要求を出す（ステップ５ｄ）。
表示情報生成手段２２は、作業用画面の表示情報生成の要求を受けると、作業ログＤＢ２４から指定された作業者の記録のうち、要求された作業の作業ログを読み出す（ステップ５ｅ）。
以降の画面の重要度計算、およびサイズ比率や配置の決定、画面の更新は、実施の形態１と同様の流れで行う。
【００２４】
次に、作業ログの記録について、図６を用いて説明する。
作業ログの記録については、作業者によって画面操作が行われると、画面更新手段１１２が操作情報を作業ログ記録手段２３へ送信する（ステップ６ａ）。作業ログ記録手段２３は、操作情報を受信すると、作業者識別手段２８から送信元の作業者を識別する作業者ＩＤを取得する（ステップ６ｂ）。そして、識別した作業者ごとに作業ログＤＢ２４の該当する作業のログに画面とその操作情報を紐付けて記録する（ステップ６ｃ）。
【００２５】
以上のように、実施の形態２によれば、作業者別に画面操作情報を作業ログとして記録し、その情報を基に表示画面を生成するため、作業者ごとに異なる作業用画面を得ることができる。
すなわち、作業の熟練者と初心者等でそれぞれの作業に即した異なる画面を表示することができる。
これにより、各作業者が所望の画面を表示するために行う煩雑な操作が不要となるため、円滑な作業が可能となり、保守点検作業が効率化する。
【００２６】
実施の形態３．
以下、実施の形態３について図に基づいて説明する。
図７は、この発明の実施の形態３による作業用画面表示システムを示す全体構成図である。
図７において、１、２、１１、２１〜２８、１１１、１１２は図４におけるものと同一のものである。図７では、Ｗｅｂサーバ２に、表示する画面の配置方法をあらかじめ設定しておく画面配置設定手段２９と、設定された画面配置情報を格納する画面配置情報ＤＢ３０とを設けている。
【００２７】
図８は、この発明の実施の形態３におけるモバイル端末のＷｅｂブラウザ上での画面の配置方法を示す図である。
図８において、モバイル端末１のＷｅｂブラウザ１１上での画面の配置方法を表している。領域１１６は、重要度が最も高い画面を配置する。領域１１７は、重要度が二番目に高い画面を配置する。領域１１８は、重要度が三番目に高い画面を配置する。
【００２８】
実施の形態３では、画面配置設定手段２９により事前に画面の配置方法を設定し、表示情報生成手段２２が、その設定情報を画面配置情報ＤＢ３０から読み出すように構成することで、重要度が同じ画面でも、作業者ごとに異なる配置の作業用画面を表示することを可能とする。
【００２９】
次に、実施の形態３の画面配置設定部分の動作について、図９を用いて説明する。
作業者が、画面配置設定手段２９を通して図８のようにモバイル端末１のＷｅｂブラウザ１１上における画面の配置領域、および画面の重要度に応じた配置順を設定すると（ステップ９ａ）、画面配置設定手段２９は、作業者識別手段２８から作業者を識別する作業者ＩＤを取得し（ステップ９ｂ）、作業者ごとに設定した画面配置情報を画面配置情報ＤＢ３０に格納する（ステップ９ｃ）。
【００３０】
次に、画面配置決定部分の動作について、図１０を用いて説明する。
作業者が、保守点検作業の開始にあたり、モバイル端末１のＷｅｂブラウザ１１の画面上で、作業用画面表示の操作を行うと、実施の形態２と同様に、表示情報生成手段２２が作業ログＤＢ２４から作業ログを取得し、画面ごとの重要度を算出する（ステップ１０ａ）。その後、画面ＤＢ２５から重要度がしきい値以上の画面情報を読み出し（ステップ１０ｂ）、合わせて、画面配置情報ＤＢ３０から、指定された作業者の画面配置情報を読み出す（ステップ１０ｃ）。
そして、画面の重要度および画面配置情報から画面のサイズ比率、配置を決定する（ステップ１０ｄ）。例えば、図８のように画面配置情報が設定されていた場合、三つの画面が重要度の高い順に領域１１６、１１７、１１８に配置される。
以降の画面の更新等は、実施の形態２と同様に動作する。
【００３１】
なお、画面配置設定手段２９では、Ｗｅｂブラウザ１１の画面内に配置する画面数も設定することが可能である。
【００３２】
以上のように、実施の形態３によれば、画面配置設定手段により事前に画面の配置方法を設定することで、重要度が同じ画面でも、作業者ごとに異なる配置の作業用画面を表示することができる。
これにより、各作業者は、それぞれの見やすい画面配置で所望の情報を得ることができるため、見づらい画面の閲覧や操作に起因する操作ミスを低減することが可能となる。
【００３３】
実施の形態４．
以下、実施の形態４について、図に基づいて説明する。
図１１は、この発明の実施の形態４による作業用画面表示システムを示す全体構成図である。
図１１において、１、２、１１、２１〜３０、１１１、１１２は図７におけるものと同一のものである。図１１では、Ｗｅｂサーバ２に、画面の重要度の初期値をあらかじめ設定しておく重要度設定手段３１と、その情報を格納する重要度情報ＤＢ３２とを設けている。
【００３４】
実施の形態４では、重要度設定手段３１により、事前に画面の重要度の初期値を設定し、表示情報生成手段２２が、その初期値を重要度情報ＤＢ３２から読み出して重要度の算出に使用するように構成することで、作業ログにおいて表示履歴のない新規追加画面でも新たに表示するための操作なしで作業用画面を表示することを可能とする。
【００３５】
次に、実施の形態４の重要度設定部分の動作について、図１２を用いて説明する。
作業者が、重要度設定手段３１を通して、画面の重要度の初期値を設定すると（ステップ１２ａ）、重要度設定手段３１は、作業者識別手段２８から作業者を識別する作業者ＩＤを取得し（ステップ１２ｂ）、作業者ごとに設定した画面ごとの重要度情報を重要度情報ＤＢ３２に格納する（ステップ１２ｃ）。なお、画面の重要度は、全作業者分を一括して設定することも可能である。
【００３６】
次に、画面の重要度計算部分の動作について、図１３を用いて説明する。
作業者が、保守点検作業の開始にあたり、モバイル端末１のＷｅｂブラウザ１１の画面上で、作業用画面表示の操作を行うと、実施の形態３と同様に、表示情報生成手段２２が、作業ログＤＢ２４から、指定した作業者の作業ログを取得する（ステップ１３ａ）。作業ログの有無を判定し（ステップ１３ｂ）、作業ログが存在しない場合には、初回表示用の画面を生成する（ステップ１３ｃ）。
存在する場合には、重要度情報ＤＢ３２から指定された作業者の重要度情報を読み出す（ステップ１３ｄ）。そして、読み出した各画面の重要度の初期値と作業ログを基に各画面の重要度を算出する（ステップ１３ｅ）。
以降、画面の配置決定、画面更新等は実施の形態３と同様に動作する。
【００３７】
以上のように、実施の形態４によれば、事前に画面の重要度を設定しておくことで、過去の作業で表示履歴がないために重要度が低く計算されてしまう新規追加画面でも、所望の作業用画面に表示することができる。
これにより、各作業者が目的の画面を表示するために行う煩雑な操作が不要となるため、保守点検作業が効率化する。
【００３８】
実施の形態５．
以下、実施の形態５について、図に基づいて説明する。
図１４は、この発明の実施の形態５による作業用画面表示システムを示す全体構成図である。
図１４において、１、２、１１、２１〜３２、１１１、１１２は図１１におけるものと同一のものである。図１４では、Ｗｅｂサーバ２に、作業ログや画面情報、画面配置情報、重要度情報を外部へ出力および外部から入力するための入出力手段３３を設けている。
【００３９】
実施の形態５では、Ｗｅｂサーバ２に入出力手段３３を設け、作業ログや設定情報等の入出力を可能にすることで、新規の作業者でも他の作業者の作業ログや設定情報を参照して、新たにシステムに登録することを可能とする。
【００４０】
次に、実施の形態５の動作について、図１５を用いて説明する。
作業者が、作業ログおよび設定情報の入力または出力を要求すると（ステップ１５ａ）、入出力手段３３は、その要求が入力か出力かを判定する（ステップ１５ｂ、１５ｄ）。
入力の場合、入出力手段３３は、入力された情報を、作業ログＤＢ２４、画面ＤＢ２５、画面配置情報ＤＢ３０、重要度情報ＤＢ３２（のうちの該当するＤＢ）に登録する（ステップ１５ｃ）。
出力の場合、作業者ＩＤの指定有無を判定し（ステップ１５ｅ）、指定されていれば、作業ログＤＢ２４、画面ＤＢ２５、画面配置情報ＤＢ３０、重要度情報ＤＢ３２（のうちの該当するＤＢ）から該当する作業者の各情報を取得し（ステップ１５ｆ）、出力する（ステップ１５ｇ）。
作業者ＩＤが指定されていなければ、作業ログＤＢ２４、画面ＤＢ２５、画面配置情報ＤＢ３０、重要度情報ＤＢ３２（のうちの該当するＤＢ）から全情報を取得し（ステップ１５ｈ）、出力する（ステップ１５ｇ）。
【００４１】
以上のように、実施の形態５によれば、作業ログや各設定情報の入出力を行うことで、他の作業者の情報を参照、または編集して新たにシステムに登録することができ、新規の作業者でも他の作業者が使用している作業用の画面を各情報の設定なしで利用することができる。
これにより、新規作業者が作業前に表示画面等を設定するための操作が不要となり、円滑に保守点検作業へと移行できるため、作業の効率化が可能となる。
【００４２】
なお、本発明は、その発明の範囲内において、各実施の形態を自由に組み合わせたり、各実施の形態を適宜、変形、省略することが可能である。
【符号の説明】
【００４３】
１  モバイル端末、２  Ｗｅｂサーバ、１１  Ｗｅｂブラウザ、２１  情報配信手段、
２２  表示情報生成手段、２３  作業ログ記録手段、２４  作業ログＤＢ、
２５  画面ＤＢ、２６  保守点検情報、２７  プラント情報、２８  作業者識別手段、
２９  画面配置設定手段、３０  画面配置情報ＤＢ、３１  重要度設定手段、
３２  重要度情報ＤＢ、３３  入出力手段、１１１  表示画面、１１２  画面更新手段、１１３〜１１８  領域。
【図１】
0006373176.tif 000002
【図２】
0006373176.tif 000003
【図３】
0006373176.tif 000004
【図４】
0006373176.tif 000005
【図５】
0006373176.tif 000006
【図６】
0006373176.tif 000007
【図７】
0006373176.tif 000008
【図８】
0006373176.tif 000009
【図９】
0006373176.tif 000010
【図１０】
0006373176.tif 000011
【図１１】
0006373176.tif 000012
【図１２】
0006373176.tif 000013
【図１３】
0006373176.tif 000014
【図１４】
0006373176.tif 000015
【図１５】
0006373176.tif 000016